(57)【要約】【課題】本発明は、消臭、抗菌、防虫を人体に無害で行えるフィトンチッドを放出できるフィトンチッド放出用送風機と換気装置システムを提供することを目的とする。【解決手段】本発明の拡散送風機５は、フィトンチッド液を収容したフィトンチッド発生体６を備え、空気にフィトンチッドを混入して放散することを主要な特徴とする。また、換気装置システムは、換気域１内の空気を換気する排気用送風機４と換気域１内に設置された拡散送風機５を備え、拡散送風機５が、気化したフィトンチッドを吐出流に含ませて換気域１内に拡散させる。【選択図】図１
2005214091.tif 000002
【特許請求の範囲】
【請求項１】
吸い込み口と吐出口が設けられたケーシングと、前記ケーシングに収容され前記吸い込み口から空気を吸い込み、昇圧した空気を前記吐出口から吐出する羽根車と、フィトンチッド液を収容し内部で気化させることができるフィトンチッド発生体を備え、気化したフィトンチッドが前記フィトンチッド発生体から前記空気の流れに混入されて放散されることを特徴とするフィトンチッド放出用送風機。
【請求項２】
前記フィトンチッド発生体には、前記フィトンチッド液を収容する収容部と、気化したフィトンチッドを発散させることのできる発散穴が形成され、前記収容部と前記発散穴の間に液漏れ防止体が設けられていることを特徴とする請求項１記載のフィトンチッド放出用送風機。
【請求項３】
前記発散穴が、前記フィトンチッド発生体の吐出流れ側の側面に形成され、該発散穴から発散されたフィトンチッドが空気に混入されることを特徴とする請求項１または２記載のフィトンチッド放出用送風機。
【請求項４】
前記フィトンチッド発生体が耐フィトンチッド材で作製されていることを特徴とする請求項１〜３のいずれかに記載のフィトンチッド放出用送風機。
【請求項５】
前記フィトンチッド発生体が、前記発散穴を吸い込み流れ内に位置させるように前記吸い込み口に配設され、気化したフィトンチッドが吸引される空気に混入されて周囲に放散されることを特徴とする請求項１，２，４のいずれかに記載のフィトンチッド放出用送風機。
【請求項６】
マルチボリュートのケーシングが設けられたことを特徴とする請求項５記載のフィトンチッド放出用送風機。
【請求項７】
換気域内の空気を換気する排気用送風機と、該換気域内に設置された請求項１〜５のいずれかに記載されたフィトンチッド放出用送風機を備えた換気装置システムであって、前記フィトンチッド放出用送風機が、前記フィトンチッド発生体を備えるとともに、気化したフィトンチッドを吐出流に含ませて前記換気域内に拡散させる拡散送風機であることを特徴とする換気装置システム。
【請求項８】
換気域内の空気を換気する排気用送風機と、該換気域内に設置された請求項６記載のフィトンチッド放出用送風機を備えた換気装置システムであって、前記フィトンチッド放出用送風機が、前記フィトンチッド発生体を備えるとともに、気化したフィトンチッドを吸い込み流れに含ませて多方向へ吐出し、前記換気域内の換気の流れと衝突させて空気を攪拌する攪拌送風機であることを特徴とする換気装置システム。
【請求項９】
前記換気域が床下または天井裏であることを特徴とする請求項７または８に記載の換気装置システム。
【発明の詳細な説明】
【技術分野】
【０００１】
本発明は、消臭と防黴、防虫するためフィトンチッドを放散できるフィトンチッド放出用送風機、及び家屋の床下や天井裏等で換気アシストするとともに消臭と防黴、防虫を行う換気装置システムに関する。
【背景技術】
【０００２】
従来、床下や天井裏等の換気の多くは、対象域内に設置した換気扇により行われる。しかし、床下や天井裏等は日陰で、１日の温度の変動が小さく、換気不足でじめじめした高湿気状態になってしまうことが多い。このため、床下や天井裏等にはカビが発生したり、腐朽菌等が繁殖し、白アリやダニ、ムカデといった害虫が生息して、衛生的でなく不快な環境になってしまう。また、じめじめした環境で木材が朽ちて独特の臭気を発生する。
【０００３】
こうしたカビの発生や、木材の腐朽、白アリ等の被害を防止するため、従来、オゾン発生装置を設けた換気装置が提案された（特許文献１）。この換気装置はオゾン発生装置が組み込まれ、外気を導入する部分でオゾンを電気的に発生させて床下や天井に燻蒸するものである。オゾン濃度は任意に設定でき、オゾンの強力な酸化力で、木材の腐朽化や白アリ等の被害を防止する。
【０００４】
また、オゾンではなく、薬剤を噴霧する空気調和機も提案されている（特許文献２）。すなわち、この技術は、空気調和機を断続して運転して換気を行うが、その際、空気調和機の本体ケーシングの通風路内に噴霧装置を設け、この噴霧装置によって防虫剤等を噴霧させるものである。これによって防虫剤等が送風空気と共に床下内に散布され、床下内の白アリ等の害虫被害が防止される。
【０００５】
【特許文献１】特開平１１−３６４７０号公報
【特許文献２】特開平９−５３８３５号公報
【発明の開示】
【発明が解決しようとする課題】
【０００６】
上述した特許文献1の換気装置は、オゾン発生装置を設けて白アリ等を駆除するが、設備費が高くなり、また白アリ等の駆除の効果を上げるためには、オゾンの濃度を上げる必要があった。この際、オゾンを床下で局部的に発生させてもこの地点から遠ざかるにつれて拡散し、酸化力だけでは効果が薄れてしまい、さらに効果を上げるためにオゾン濃度を上げると、人体への影響がでてくる可能性があった。安全性と駆除のバランスをとることは、きわめて難しいものであった。
【０００７】
また、特許文献２の空気調和機は、噴霧装置として超音波霧化装置を用い、タンク内の薬剤をポンプで噴出する。防虫を行うときは防虫剤、防黴するときはカビ防止剤、殺菌する場合は殺菌剤、消臭する場合は消臭剤、爽快感を与える場合には芳香剤を、噴霧目的ごとにタンクに入れて、それぞれ噴霧しなければならない。従ってすべての噴霧を行うためには薬液を頻繁に交換することが避けられない。家屋の床下や天井裏等もしくはその近傍で薬剤を交換するのはきわめて面倒な作業となり、その作業負担が大きいものであった。しかも噴霧装置と複数種類の薬剤が必要で、コストも高くなる。従って、人体に無害で、防虫剤、防黴剤、殺菌剤、消臭剤、芳香剤に代わる有効な新しい薬剤があれば、こうした問題は一挙に解決することができる。
【０００８】
そして特許文献２の空気調和機は、床下換気装置として床下に配置する場合に、床下の複数の換気口に空気調和機を設け、複数の排出口に排気装置を設けなければならない。これは、空気調和機の通風路に設けた噴霧装置で薬剤を噴霧するからであり、多数の空気調和機を設置しない限り局部的に散布するだけで床下全体に薬剤が拡散しないからである。現在、噴霧装置を設けて効果的に攪拌できる攪拌装置はない。
【０００９】
そこで本発明は、消臭、防虫、防黴を人体に無害で行えるフィトンチッドを放出できるフィトンチッド放出用送風機を提供することを目的とする。
【００１０】
また本発明は、換気域内の換気アシストを行うとともに、消臭、防虫、防黴を人体に無害で行える換気装置システムを提供することを目的とする。
【課題を解決するための手段】
【００１１】
上記問題を解決するため本発明のフィトンチッド放出用送風機は、吸い込み口と吐出口が設けられたケーシングと、ケーシングに収容され吸い込み口から空気を吸い込み昇圧した空気を吐出口から吐出する羽根車と、フィトンチッド液を収容し内部で気化させることができるフィトンチッド発生体を備え、空気の流れに気化したフィトンチッドを混入して吐出し放散することを主要な特徴とする。
【発明の効果】
【００１２】
本発明のフィトンチッド放出用送風機によれば、消臭、防虫、防黴等を人体に無害で行えるフィトンチッドを空気中に発散できる。また、本発明の換気装置システムによれば、換気域内の換気アシストを行い、消臭、防虫、防黴等を人体に無害で行うことができる。
【発明を実施するための最良の形態】
【００１３】
本発明の第１の形態は、吸い込み口と吐出口が設けられたケーシングと、ケーシングに収容され吸い込み口から空気を吸い込み、昇圧した空気を吐出口から吐出する羽根車と、フィトンチッド液を収容し内部で気化させることができるフィトンチッド発生体を備え、気化したフィトンチッドがフィトンチッド発生体から空気の流れに混入されて放散されるフィトンチッド放出用送風機であり、送風機を使って人体に無害で消臭、防虫、防黴等を行えるフィトンチッドを空気の流れに混入することにより空気中に放散できる。フィトンチッド発生体を使うので、フィトンチッド液の取り扱いが容易で、安価に放散できる。
【００１４】
本発明の第２の形態は、第１の形態に従属する形態であって、フィトンチッド発生体には、フィトンチッド液を収容する収容部と、気化したフィトンチッドを発散させることのできる発散穴が形成され、収容部と発散穴の間に液漏れ防止体が設けられているフィトンチッド放出用送風機であり、フィトンチッド液が液垂れすることなく、フィトンチッド液の取り扱いが容易で、安価に放散できる。
【００１５】
本発明の第３の形態は、第１または２の形態に従属する形態であって、発散穴が、フィトンチッド発生体の吐出流れ側の側面に形成され、該発散穴から発散されたフィトンチッドが空気に混入されるフィトンチッド放出用送風機であり、発散穴がフィトンチッド発生体の吐出流れ側に形成されるので、吐出される空気の流れに安定してフィトンチッドを混入して放散できる。
【００１６】
本発明の第４の形態は、第１〜３のいずれかの形態に従属する形態であって、フィトンチッド発生体が耐フィトンチッド材で作製されているフィトンチッド放出用送風機であり、フィトンチッド液を長時間収容していてもその影響がない。
【００１７】
本発明の第５の形態は、第１，２，４のいずれかの形態に従属する形態であって、フィトンチッド発生体が、発散穴を吸い込み流れ内に位置させるように吸い込み口に配設され、気化したフィトンチッドが吸引される空気に混入されて周囲に放散されるフィトンチッド放出用送風機であり、吸い込み口で吸引する空気にフィトンチッドを混入して多方向に吐出して流れを拡散、攪拌するので、隅々にまでフィトンチッドが行き渡る。
【００１８】
本発明の第６の形態は、第５の形態に従属する形態であって、マルチボリュートのケーシングが設けられたフィトンチッド放出用送風機であり、マルチボリュートの吐出口から多方向に吐出して流れを攪拌することができ、隅々にまでフィトンチッドが行き渡る。
【００１９】
本発明の第７の形態は、換気域内の空気を換気する排気用送風機と、該換気域内に設置された第１〜５のいずれかの形態のフィトンチッド放出用送風機を備えた換気装置システムを備えた換気装置システムであって、フィトンチッド放出用送風機が、フィトンチッド発生体を備えるとともに、気化したフィトンチッドを吐出流に含ませて換気域内に拡散させる拡散送風機である換気装置システムであり、拡散送風機が吐出流と換気域内の流れとの混合過程でフィトンチッドを拡散させることができる。
【００２０】
本発明の第８の形態は、換気域内の空気を換気する排気用送風機と、該換気域内に設置された形態のフィトンチッド放出用送風機を備えた換気装置システムであって、フィトンチッド放出用送風機が、フィトンチッド発生体を備えるとともに、気化したフィトンチッドを吸い込み流れに含ませて多方向へ吐出し、換気域内の換気の流れと衝突させて空気を攪拌する攪拌送風機である換気装置システムであり、吸い込み流れにフィトンチッドを混入した後、攪拌送風機が多方向に吐出して換気の流れと衝突させるので大きな攪拌が行え、フィトンチッドを換気域内に放散することができる。
【００２１】
本発明の第９の形態は、第７または８の形態に従属する形態であって、換気域が床下または天井裏である換気装置システムであり、換気域内の換気アシストを行うとともに、消臭、防黴、白アリ等の防虫を人体に無害で行える。
【実施例１】
【００２２】
以下、本発明の実施例１における換気装置システムとフィトンチッド放出用送風機について説明する。実施例１は換気域が床下で、フィトンチッド放出用送風機として拡散送風機を使用した換気装置システムである。図１は本発明の実施例１における換気装置システムの全体図、図２は本発明の実施例１における拡散送風機の平面図、図３は本発明の実施例１における拡散送風機の側面図、図４は本発明の実施例１における拡散送風機の正面図、図５は図２の拡散送風機のＸ−Ｘ断面図、図６は図１の拡散送風機のＹ−Ｙ断面図である。
【００２３】
図1において、１は床下や天井裏等の換気域、１ａは床下の基礎壁や天井裏の壁などの換気域１を構成する壁部、２は外気を吸い込むための換気域１に設けられた換気口、３は換気域１内の空気を排出するための排気口である。
【００２４】
４は排気口３に取り付けられ換気域１内の空気を排出してこの負圧により換気口２から外気を吸引する排気用送風機、５は換気域１内に設置されフィトンチッド液を収容して、気化したフィトンチッドを放散させる拡散送風機（本発明の実施例１におけるフィトンチッド放出用送風機）である。なお、フィトンチッドは植物が光合成によってつくる植物の二次代謝成分であり、いわゆる生活活性物質である。次に、６は拡散送風機５の吐出側の上部に配設され、植物精油として抽出されたフィトンチッド液を収容するフィトンチッド発生体である。詳細については後述する。排気用送風機４と拡散送風機５は、換気とともに消臭、防虫、防黴、さらには芳香付与等を行う実施例１の換気装置システムを構成するもので、これらを効果的に行うために両者連動して運転するのが好適である。なお、フィトンチッド液は抗菌作用を有しているため、この抗菌作用を利用する構成も可能である。
【００２５】
実施例１の排気用送風機４はクロスフロー型の送風機が採用されている。このタイプの送風機は比較的大きな風量を排出することができる。また、拡散送風機５としては遠心型の送風機が採用され、クロスフロー型のものより高圧の空気を吐出する。従って拡散送風機５から吐出される流れは流速が大きく、併せて、この送風機の吐出方向を排気用送風機４による換気の流れに逆らわず並行して吐出するようにするため、２つの流れは概ね同方向に流動しながら運動量を交換することになる。このため拡散送風機５から排出された吐出流は、換気の流れをあまり乱すことなく、粘性によって２つの流れの間には流体粒子の拡散が起こり、吐出流に含まれたフィトンチッドが周囲に拡散されていくものである。このように拡散送風機５からの吐出流と排気用送風機４による換気の流れは、換気域１内に多様な流動と混合を引き起こし、その後排気用送風機４によって排気される。この拡散、混合過程で、フィトンチッド発生体６から発散されたフィトンチッドは換気域１内に放散され、その成分は換気域１内に満遍なく行き渡るものである。
【００２６】
次に、図２〜図４に基づいて拡散送風機５の構成について説明する。図２〜図４において、１１は遠心型である拡散送風機５のケーシング、１１ａはケーシング１０の中で圧力回復を行う渦巻きケーシング、１１ｂは渦巻きケーシング１１ａから流れを吐出する吐出ケーシングである。１２はケーシング１１に設けられた空気を吸引する吸い込み口、１３は吸い込み流れを旋回流とするために設けられた吸い込みベーンである。拡散送風機５には後述するように多翼型の羽根車２１が設けられているため、吸い込みベーン１３で空気を円滑に吸い込ませ、高効率の流れにしている。
【００２７】
続いて図２〜図４、図５を参照して、１４は吐出ケーシング１１ｂに取り付けられる拡散用ディフューザである。拡散用ディフューザ１４の上面にフィトンチッド発生体６が着脱自在に固定される。１４ａは拡散用ディフューザ１４に形成された平坦な扇形吐出口、１４ｂは案内ベーンである。１５は拡散用ディフューザ１４の取り付け脚である。安定してケーシング１１を支持できるように、渦巻きケーシング１１ａの外周に沿って４箇所に設けられている。
【００２８】
拡散用ディフューザ１４の一端側には装着口が設けられて吐出ケーシング１１ｂの先端の吐出口に装着され、他端側には扇形吐出口１４ａが設けられて開放される。拡散用ディフューザ１４の構造は、吐出ケーシング１１ｂ側の円形の装着口が緩やかに変形して、平坦な扇形吐出口１４ａに変化する構成となっている。扇形吐出口１４ａは扇形で流れが剥離し易い形状であるため、案内ベーン１４ｂによって流れの安定を図っている。扇形吐出口１４ａから吐出された流れと周囲の流れが粘性によって運動量交換して混合していく過程でフィトンチッドが拡散していく。
【００２９】
次に、図５、図６によって、拡散送風機５とフィトンチッド発生体６の内部構成について説明する。２１は羽根車、２１は羽根車２１を駆動するためのモータである。羽根車２１は風量を上げるため多翼型の羽根車が採用される。この構成はモータ２２を羽根車２１内部に収容でき、拡散送風機５の高さ方向の厚さを薄くし、コンパクトにすることができる。床下は基本的に高さ方向の余裕がないから、このような構成にすることで床下の換気と拡散に適した送風機となる。
【００３０】
フィトンチッド発生体６は、図２〜図６に示すように内部に植物精油として抽出されたフィトンチッド液が収容された直方体の容器であり、拡散用ディフューザ１４の上面に取り付けられ、扇形吐出口１４ａの下流位置で気化したフィトンチッドを吐出流中へ発散する。なお、形状は直方体には限られない。図６において、３０はフィトンチッド液を補給するための注入口のキャップ、３１はフィトンチッド液が落滴しないように設けられた液漏れ防止板（本発明の液漏れ防止体）、３２はフィトンチッド発生体６の吐出流側の側面に設けられて気化したフィトンチッドが吐出流の中に発散できる発散穴である。３３はフィトンチッド発生体６を拡散用ディフューザ１４の上面の所定位置に取り付けるときに使用する固定用突起、３４はフィトンチッド液を収容する収容部である。キャップ３０に一方向へ通気を許すシート等を設けておくのもよい。
【００３１】
発散穴３２は１個もしくは複数個並んで開口される。フィトンチッド液は常温下フィトンチッド発生体６内で飽和するまで気化する。このときフィトンチッドの一部は、液漏れ防止板３１と容器内面の間の隙間を通って発散穴３２近傍へ回りこみ、発散穴３２から吐出流中に発散される。これに伴って、フィトンチッド発生体６内部のフィントンチッド濃度は低下し、これによって物質移動が起こり、フィトンチッドが気化するため、フィトンチッドの発散が継続して行われる。なお、液漏れ防止板３１はフィトンチッド液が発散穴３２から落滴するのを防止するだけの高さに形成されている。
【００３２】
ところで、フィトンチッドは植物が自己防衛のために光合成で作り出す成分であり、揮発性の物質で、主成分がテルペン類の有機化合物である。この成分は蒸留法や抽出法で樹木等の植物から取り出した植物精油に含まれている。従って、フィトンチッド液を使用するときは、植物精油をそのままフィトンチッド液として使用するのがよい。なお、植物精油を取り出す蒸留法には、熱水による蒸留と水蒸気による蒸留があり、抽出法には油脂吸着法による抽出、溶剤による抽出、液化ガスによる抽出があるが、一般には水蒸気蒸留法で取り出された植物精油が利用されることが多い。
【００３３】
さて、フィトンチッドには、（１）森林浴で得られるのと同様な人体に対するリフレッシュ効果と、（２）空気の浄化や悪臭を抑える消臭・脱臭効果と、（３）防腐、殺菌、防黴、防虫効果があることが知られており、最近では芳香剤入浴剤、化粧品、育毛剤、口内消毒剤としての利用が行われている。フィトンチッドが（１）（２）（３）のような効果をもつ理由は、フィトンチッドを空中に発散させると、空気に漂う悪臭分子と接触して中和消臭反応を起こし、無臭の安定物質に変化させるからであり、あるいはオゾン、ＮＯｘ、ホルムアルデヒド等を中和し、ヒノキやヒバ、スギのような香りを漂わせてリフレッシュ効果を与え、爽快感を与えるためである。また、フィトンチッドは天然に存在するもので、人体に無害であるが、白アリやダニ、蚊、カビに対してはこれを寄せ付けない成分、例えばヒノキチオールやカンファー、α―ピネン、リモネン、ピシフェリン酸、アリルイソチオシアネートといった抗菌、防虫、防腐作用を有している成分を含んでおり、これが（３）の作用を奏すためである。
【００３４】
従って、フィトンチッド液、すなわちこれを含む植物精油を気化させ、換気域１内に拡散させたときには、木材の腐朽化や白アリ等の被害をなくすことができ、さらに防黴、消臭、芳香付与して、床下や天井裏等の不快な環境を一掃した空間に変えることができる。そして、抗菌作用も得るためにガス状のフィトンチッドだけでなく、フィトンチッド液を使うこともできる。
【００３５】
ところで、本発明の実施例１では、フィトンチッド発生体６に１個または複数の発散穴３２を開け、流れの中にフィトンチッドを発散し混入している。従って、従来の噴霧器のように薬液を電気的に噴霧するのでなく、常温でフィトンチッド液を気化させ、発散穴３２から吐出流に継続的に放散し拡散させる、というフィトンチッドの特性を活かす手段を採用している。これによって、別の電源や装置を要することなく、効果的にフィトンチッドを拡散することができる。なお、吐出流だけでなく、実施例２のように吸い込み流れに混入させることもできる。
【００３６】
また、フィトンチッド発生体６や拡散用ディフューザ１４は、フィトンチッド液を長時間にわたって貯めたり、液垂れして表面に付着したままになる可能性がある。フィトンチッドは気化された状態では数万倍に希釈され耐久性に問題が出ることはないが、長時間フィトンチッド液と直接接触するプラスチック容器や拡散用ディフューザ１４は、できるだけ耐久性を有するものが望ましい。そこで、フィトンチッド液に対する各種プラスチックの耐久性を鋭意検討したところ、ポリプロピレン、ポリカーボネート、モルトプレーンは耐久性が良好であり、ポリエチレン、発泡スチロールは接触面がやや溶出し、ＡＢＳ樹脂は形状が変形するという知見を得た。
【００３７】
そこで実施例１においては、ポリプロピレン、ポリカーボネート、モルトプレーン等の耐フィトンチッド材の中から、ポリプロピレンを採用し、ポリプロピレン製のフィトンチッド発生体６と拡散用ディフューザ１４を作製した。このように耐フィトンチッド材の中から材料を選択することにより、長時間にわたって装備が劣化せず拡散送風機５を継続して運転することができる。なお、本実施例1においては、拡散用ディフューザ１４の材料としてポリプロピレンを採用しているが、フィトンチッド発生体６から落滴することは通常ないので、拡散用ディフューザ１４をＡＢＳ樹脂等で作るのもよい。
【００３８】
このように実施例１の拡散送風機５は、拡散用ディフューザ１４を取り付け、拡散用ディフューザ１４の上面の所定位置にフィトンチッド発生体６を設置して、床下や天井裏等の換気域１に放散するので、換気域１内の消臭、防虫、防黴等を人体に無害なフィトンチッドで行うことができる。
【００３９】
また、実施例１の換気装置システムは、排気用送風機４による基本的な換気の流れに、拡散用の拡散送風機５を設けるので、フィトンチッド発生体６を取り付けるだけでフィトンチッドを換気域１に放出することができ、排気用送風機４と拡散送風機５を連動して運転することで、換気域１内の換気とともに、域内の消臭、防虫、防黴等を人体に無害なフィトンチッドで行うことができる。なお、排気用送風機４の運転を停止して拡散送風機５を単独で運転してフィトンチッドを放散することも可能であるが、放散効率の点から排気用送風機４と拡散送風機５を連動して運転するのが望ましい。
【実施例２】
【００４０】
本発明の実施例２における換気装置システムとフィトンチッド放出用送風機について説明する。実施例２はフィトンチッド放出用送風機として攪拌送風機を使用した換気装置システムである。図７は本発明の実施例２における換気装置システムの全体図、図８は本発明の実施例２における攪拌送風機の平面図、図９は本発明の実施例２における攪拌送風機の正面図、図１０（ａ）は本発明の実施例２におけるフィトンチッド発生体の正面図、図１０（ｂ）は（ａ）のフィトンチッド発生体の側面図、図１０（ｃ）は（ａ）のフィトンチッド発生体のＺ−Ｚ断面図である。実施例１と同一符号は実施例２においても同一内容であるので、説明は実施例１に譲って省略する。
【００４１】
図７において、１は換気域、１ａは壁部、２は換気口、３は排気口、４は排気用送風機、７は換気域１内に設置されフィトンチッドを攪拌して放出する攪拌送風機（本発明の実施例２におけるフィトンチッド放出用送風機）である。排気用送風機４と攪拌送風機７は、換気とともに消臭、防黴、防虫等を行う実施例２の換気装置システムを構成するものである。
【００４２】
図８、図９において、攪拌送風機７の詳細について説明する。６はフィトンチッド発生体、１１ｂは吐出ケーシング、１２は吸い込み口、１３は吸い込みベーンである。１７はマルチボリュートの４つの吐出口であり、それぞれに整流のための吐出ベーンが設けられており、４方向に吐出する。このように吐出口１７が４つ設けられているのは、羽根車を挟んで９０°等配に吐出流を吐出するためであり、これによって少なくとも４方向の中の１つの吐出流が排気用送風機４へ向う換気の流れと衝突し、流れを大きく乱すことができるからである。実施例２ではマルチボリュートで４つの吐出口であるが、吐出口１７を２個、３個あるいは４個以上にするのでもよい。
【００４３】
このように排気用送風機４が形成する流れを攪拌送風機７の吐出流で攪拌するため、実施例１の拡散送風機５のような高圧の送風機でなくともフィトンチッドを放散することができ、拡散送風機５を使うよりランニングコストが安価にすることができる。
【００４４】
次いで、実施例２のフィトンチッド発生体６について説明する。実施例２のフィトンチッド発生体６は吸い込み口１２に設けられる。図１０（ａ）（ｂ）（ｃ）に示すように、６ａはフィトンチッド発生体６を設置するためのホルダ、３１は液漏れ防止板、３２は発散穴、３３はホルダ６ａに固定するための固定用突起、３４はフィトンチッド液を収容する収容部である。フィトンチッド発生体６の構成は実施例１と同様であり、ここでは詳細な説明を省略する。なお、ここでは図示しないキャップや、フィトンチッド発生体６の表面の一部に一方向へ通気を許すシート等を設けておくのがよい。
【００４５】
フィトンチッド発生体６は、片持ち且つ傾斜した状態で一端がホルダ６ａに装着され、他端が吸い込み口１２に突出される。この他端側には発散穴３２が設けられ、吸い込み流れの中で吸い込み口１２に向けて開口される。これにより、発散穴３２から吸引する空気に気化したフィトンチッドが混入され、羽根車で昇圧された後に、吐出口１７から多方向に吐出される。フィトンチッド発生体６は片持ちで傾斜されて取り付けられているため、吸い込み口１２へ向かう吸い込み流れがフィトンチッド発生体６によってほとんど乱されることはない。なお実施例２においても、フィトンチッド発生体６はマルチボリュートでなく、渦巻きケーシングの吸い込み口１２に取り付けるのでもよい。
【００４６】
フィトンチッド発生体６の材質は、実施例１と同様、ポリプロピレン、ポリカーボネート、モルトプレーン等の耐フィトンチッド材の中から選択する。そして、吐出ケーシング１１ｂ上にフィトンチッド液が液垂れしても構わないように、吐出ケーシング１１ｂをポリプロピレン、ポリカーボネート、モルトプレーンで成形するか、表面をコーティングするのが好適である。吸い込みベーン１３も液垂れを防止するために耐フィトンチッド材で作製してもよい。
【００４７】
このように実施例２の攪拌送風機７は、流れを攪拌して多様な流れを形成するため、この複雑な混合過程の中で、発散されたフィトンチッドは換気域１内に放散され、その成分を換気域１内に満遍なく行き渡らせることができる。
【００４８】
また、実施例２の換気装置システムは、排気用送風機４による基本的な換気の流れを攪拌送風機７で攪拌することにより、フィトンチッド発生体６を取り付けるだけでフィトンチッドを換気域１に放出することができる。換気域１内の消臭、防虫、防黴、さらには芳香作用を人体に無害で行え、効果的に攪拌、拡散することができる。排気用送風機４と攪拌送風機７を連動して運転するのがよいが、攪拌送風機７だけを単独で運転してフィトンチッドを放出することもできる。
【産業上の利用可能性】
【００４９】
本発明は、家屋の床下や天井裏等を換気アシストするとともに、フィトンチッドを放散して消臭、防虫、防黴等を行う換気装置システムに適用できる。また、フィトンチッドを放散させるためのフィトンチッド放出用送風機に適用できる。
【図面の簡単な説明】
【００５０】
【図１】本発明の実施例１における換気装置システムの全体図
【図２】本発明の実施例１における拡散送風機の平面図
【図３】本発明の実施例１における拡散送風機の側面図
【図４】本発明の実施例１における拡散送風機の正面図
【図５】図２の拡散送風機のＸ−Ｘ断面図
【図６】図１の拡散送風機のＹ−Ｙ断面図
【図７】本発明の実施例２における換気装置システムの全体図
【図８】本発明の実施例２における攪拌送風機の平面図
【図９】本発明の実施例２における攪拌送風機の正面図
【図１０】（ａ）本発明の実施例２におけるフィトンチッド発生体の正面図、（ｂ）（ａ）のフィトンチッド発生体の側面図、（ｃ）（ａ）のフィトンチッド発生体のＺ−Ｚ断面図
【符号の説明】
【００５１】
１  換気域
１ａ  壁部
２  換気口
３  排気口
４  排気用送風機
５  拡散送風機
６  フィトンチッド発生体
６ａ  ホルダ
１１  ケーシング
１１ａ  渦巻きケーシング
１１ｂ  吐出ケーシング
１２  吸い込み口
１３  吸い込みベーン
１４  拡散用ディフューザ
１４ａ  扇形吐出口
１５  取り付け脚
２１  羽根車
２２  モータ
３０  キャップ
３１  液漏れ防止板
３２  発散穴
３３  固定用突起
３４  収容部
【図１】
2005214091.tif 000003
【図２】
2005214091.tif 000004
【図３】
2005214091.tif 000005
【図４】
2005214091.tif 000006
【図５】
2005214091.tif 000007
【図６】
2005214091.tif 000008
【図７】
2005214091.tif 000009
【図８】
2005214091.tif 000010
【図９】
2005214091.tif 000011
【図１０】
2005214091.tif 000012